(57)【要約】      （修正有）【課題】重要度の異なる複数の警報が発生したことをユーザに報知することができる監視装置及び警報音鳴動方法を提供する。【解決手段】判定手段は、設備の監視情報に基づき設備で警報が発生しているかを判定し、警報が発生していると判定した場合、警報の重要度を判定する。複数の警報報知スピーカーは、警報の発生を警報音の鳴動により報知する。鳴動制御手段は、判定手段による警報の重要度の判定結果に応じて複数の警報報知スピーカーの鳴動を制御する。【選択図】図３
2014229099.tif 000002
【特許請求の範囲】
【請求項１】
設備の監視情報に基づき前記設備で警報が発生しているかを判定し、前記警報が発生していると判定した場合、前記警報の重要度を判定する判定手段と、
前記警報の発生を警報音の鳴動により報知する複数の警報報知スピーカーと、
前記判定手段による警報の重要度の判定結果に応じて前記複数の警報報知スピーカーの鳴動を制御する鳴動制御手段と
を具備する監視装置。
【請求項２】
前記複数の警報報知スピーカーがすべて鳴動している状態で、さらに別の警報が発生した場合、さらなる警報の発生を報知音の鳴動により報知する重複報知スピーカーをさらに具備する請求項１記載の監視装置。
【請求項３】
前記複数の警報報知スピーカーで鳴動される、前記警報の重要度に対応する複数の警報音及び、前記重複報知スピーカーで鳴動される、さらなる警報の発生を報知する報知音を記憶する記憶手段をさらに具備する請求項２記載の監視装置。
【請求項４】
前記鳴動制御手段は、
前記警報が１つ発生した場合、前記判定される警報の重要度に応じて、対応する警報音を前記記憶手段から読み出し、前記読み出された警報音を前記複数の警報報知スピーカーのいずれかから鳴動させ、
前記警報が複数発生した場合、前記判定される警報の重要度に応じて、対応する警報音を前記記憶手段から読み出し、前記読み出された警報音を前記複数の警報報知スピーカーから鳴動させ、
前記警報報知スピーカーがすべて鳴動している状態で、さらに鳴動している警報の重要度よりも高い重要度の警報が発生した場合、前記判定される警報の重要度に応じて、対応する警報音を前記記憶手段から読み出し、前記複数の警報報知スピーカーで鳴動している警報音のうち、重要度の低い警報音を停止し、前記読み出した警報音を前記停止した警報報知スピーカーから鳴動させ、
前記警報報知スピーカーがすべて鳴動している状態で、さらに鳴動している警報の重要度と同じか低い重要度の警報が発生した場合、前記報知音を前記記憶手段から読み出し、前記読み出された報知音を前記重複報知スピーカーから鳴動させる請求項３記載の監視装置。
【請求項５】
前記複数の警報報知スピーカーは、それぞれ対応する重要度の警報音を鳴動させる請求項１記載の監視装置。
【請求項６】
設備の監視情報に基づき前記設備で警報が発生しているかを判定し、前記警報が発生していると判定した場合、前記警報の重要度を判定し、
前記警報の重要度の判定結果に応じて前記警報の発生を警報音の鳴動により報知する複数の警報報知スピーカーの鳴動を制御する警報音鳴動方法。
【請求項７】
前記複数の警報報知スピーカーがすべて鳴動している状態で、さらに別の警報が発生した場合、さらなる警報の発生を報知音の鳴動により報知する重複報知スピーカーを鳴動させる請求項６記載の警報音鳴動方法。
【発明の詳細な説明】
【技術分野】
【０００１】
本発明の実施形態は、監視対象となる設備の状況を監視・報知する監視装置及び警報音鳴動方法に関する。
【背景技術】
【０００２】
ビル内部の状況を監視し、ビル内部の監視情報に基づいてビル内部の設備を制御するビル監視システムが知られている。ビル監視装置（ＨＩＳ：Human Interface Station）は、一般に、監視対象となるビルの状況を各設備から送信される監視情報に基づいて把握し、各設備の状況をユーザ（オペレータ）に報知する。
【０００３】
従来のビル監視装置は、パーソナルコンピュータ、ディスプレイ、キーボード及びスピーカー等を備える。ビル監視装置は、ビル内で異常が発生すると、警報を発生し、警報が新規に発生したことをディスプレイに表示する。また、ビル監視装置は、ビル内で異常が発生すると、警報音をスピーカーで鳴動することにより、ビル内部を監視するユーザに何かしらの異常が発生したことを報知する。このビル監視装置は、異常を報知する警報の重要度によって警報音の音色を異ならせて、重要度の高い警報が発生したことを音色で判断できるようにしている。
【０００４】
しかしながら、従来のビル監視装置は、例えば、設置されるスピーカーがステレオスピーカーであれば、左（Ｌ）のスピーカー及び右（Ｒ）のスピーカーからそれぞれ同じ音が鳴動していた。これは、モノラル音声または左右同じ音であるステレオ音声を鳴動させていたためである。また、従来のビル監視装置は、スピーカーで警報音が鳴動している際、より重要度の高い警報が発生すると、鳴動中の警報音を停止後、重要度の高い警報音を鳴動させなおしていた。すなわち、従来のビル監視装置は、最も重要度の高い警報音だけが鳴動されていた。
【０００５】
また、従来のビル監視装置は、スピーカーで警報音が鳴動している際、鳴動している警報の重要度と同じか低い警報が発生すると、鳴動中の警報音を停止せず、鳴動中の警報音を鳴動させ続けてしまう。このため、ユーザは、新規に警報が発生したことを警報音で気づくことができなかった。
【先行技術文献】
【特許文献】
【０００６】
【特許文献１】特開２００８−２９３１１０号公報
【発明の概要】
【発明が解決しようとする課題】
【０００７】
以上のように、従来のビル監視装置は、最も重要度の高い警報音だけを鳴動させていた。また、従来のビル監視装置は、スピーカーで警報音が鳴動している際、鳴動している警報の重要度と同じか低い警報が発生すると、鳴動中の警報音を停止せず、鳴動中の警報音を鳴動させ続けてしまう。このため、ユーザは、新規に警報が発生したことを警報音で気づくことができなかった。
【０００８】
そこで、目的は、重要度の異なる複数の警報が発生したことをユーザに報知することができる監視装置及び警報音鳴動方法を提供することにある。
【課題を解決するための手段】
【０００９】
本実施形態によれば、監視装置は、判定手段、複数の警報報知スピーカー及び鳴動制御手段を具備する。判定手段は、設備の監視情報に基づき前記設備で警報が発生しているかを判定し、前記警報が発生していると判定した場合、前記警報の重要度を判定する。複数の警報報知スピーカーは、前記警報の発生を警報音の鳴動により報知する。鳴動制御手段は、前記判定手段による警報の重要度の判定結果に応じて前記複数の警報報知スピーカーの鳴動を制御する。
【図面の簡単な説明】
【００１０】
【図１】第１の実施形態に係るビル監視装置を備えるビル監視システムの一例を示すシステム図。
【図２】第１の実施形態に係るビル監視装置の一例を示す模式図。
【図３】第１の実施形態に係るビル監視装置の一例を示すブロック図。
【図４】実施形態に係るビル監視装置における警報音鳴動方法を示すフローチャート。
【図５】第２の実施形態に係るビル監視装置の一例を示す模式図。
【図６】第２の実施形態に係るビル監視装置における処理手順の一例を示すフローチャート。
【図７】図６に示す警報音鳴動処理手順の一例を示すフローチャート。
【発明を実施するための形態】
【００１１】
以下、実施形態について、図面を参照して説明する。
【００１２】
図１は、実施形態に係るビル監視装置を備えるビル監視システムの一例を示すブロック図である。
【００１３】
図１に示すビル監視システムは、制御装置（ＰＬＣ：Programmable Logic Controller）、監視制御装置（ＬＣＳ：Local Control Server）及びビル監視装置（ＨＩＳ：Human Interface Station）を備える。
【００１４】
制御装置は、ビル内に設置された設備を制御する。例えば、ビル内の照明及び空調等の設備を制御すると共に、そのために必要な設備の稼働状況等の状態情報や、照度、温度や湿度等の環境情報を取得する。
【００１５】
監視制御装置は、制御装置から送信される各設備の情報を受信し、設備の状態監視や自動制御を行う。
【００１６】
（第１の実施形態）  
図２は、第１の実施形態に係るビル監視装置の一例を示す模式図である。
【００１７】
ビル監視装置は、監視制御装置で受信される各設備の監視情報に基づいて監視対象となるビルの状況を把握し、各エリアの状況をユーザに報知する。ビル監視装置は、パーソナルコンピュータＰＣ、ディスプレイＤＰ、及びキーボードＫＢを有する。また、ビル監視装置は、警報報知スピーカー１１，１２及び重複報知スピーカー１３を有する。
【００１８】
警報報知スピーカー１１，１２は、警報の発生を警報音の鳴動によりユーザに報知する。図２では、警報報知スピーカー１１，１２を２つ設ける例を示している。警報報知スピーカー１１，１２は、それぞれ異なる重要度の警報音を同時に鳴動することが可能である。重複報知スピーカー１３は、すべての警報報知スピーカー１１，１２が鳴動し、さらに別の警報が発生した場合、さらなる警報の発生を報知音の鳴動によりユーザに報知する。
【００１９】
警報音は、ユーザがビル監視装置の警報音停止ボタンを押下するまで繰り返し鳴動し続ける。
【００２０】
図３は、第１の実施形態に係るビル監視装置の一例を示すブロック図である。
【００２１】
ビル監視装置は、判定部２、記憶部３及びスピーカー制御部４を有する。
【００２２】
判定部２は、監視制御装置により受信される監視情報から設備で警報が発生しているかを判定する。また、判定部２は、設備で警報が発生していると判定した場合、発生した警報の重要度を判定する。この警報の重要度は、任意に設定してもよい。判定部２は、例えば、重要度が高い順から重、中、軽、及び注意といったように警報の重要度を設定することが可能である。
【００２３】
記憶部３は、複数の警報音、及び報知音を記憶する。複数の警報音は、それぞれ警報の重要度に対応し、警報報知スピーカー１１，１２のいずれかで鳴動する。報知音は、重複報知スピーカー１３で鳴動し、さらなる警報の発生をユーザに報知する。
【００２４】
スピーカー制御部４は、警報が１つ発生した場合、判定部２で判定される警報の重要度に応じて、対応する警報音を記憶部３から読み出す。スピーカー制御部４は、読み出した警報音を複数の警報報知スピーカー１１，１２のいずれかから鳴動させる。
【００２５】
また、スピーカー制御部４は、警報が複数発生した場合、判定部２で判定される警報の重要度に応じた警報音を記憶部３から読み出す。スピーカー制御部４は、読み出した警報音をそれぞれ複数の警報報知スピーカー１１，１２から鳴動させる。ここで、スピーカー制御部４は、最も高い重要度の警報音を左（Ｌ）の警報報知スピーカー１１から出力し、その次に高い重要度の警報音を右（Ｒ）の警報報知スピーカー１２から出力するといったように、所定の警報報知スピーカーから警報音を出力するようにしてもよい。
【００２６】
また、スピーカー制御部４は、既に警報報知スピーカー１１，１２が鳴動し、さらに鳴動している警報の重要度よりも高い重要度の警報が発生した場合、判定部２で判定される警報の重要度に応じた警報音を記憶部３から読み出す。スピーカー制御部４は、警報報知スピーカー１１，１２で鳴動している警報音のうち、最も重要度の低い警報音を停止する。スピーカー制御部４は、読み出した警報音を停止した警報報知スピーカー１１，１２から鳴動させる。
【００２７】
また、スピーカー制御部４は、既に警報報知スピーカー１１，１２が鳴動し、さらに鳴動している警報の重要度と同じか低い重要度の警報が発生した場合、報知音を記憶部３から読み出す。スピーカー制御部４は、読み出した報知音を重複報知スピーカー１３から鳴動させる。
【００２８】
また、スピーカー制御部４は、ユーザからの指示により、警報報知スピーカー１１，１２及び重複報知スピーカー１３の鳴動を停止する。例えば、警報報知スピーカー１１，１２及び重複報知スピーカー１３の鳴動は、ユーザによりディスプレイ上に表示される停止ボタンを押下することで停止する。
【００２９】
次に、上記構成における警報音の鳴動方法について説明する。
【００３０】
図４は、実施形態に係るビル監視装置における警報音鳴動方法を示すフローチャートである。
【００３１】
まず、スピーカー制御部４は、鳴動している警報報知スピーカー１１，１２があるか判定する（ステップＳ４１）。スピーカー制御部４は、鳴動している警報報知スピーカー１１，１２がない場合（ステップＳ４１のＮｏ）、鳴動していない警報報知スピーカー１１，１２のいずれかで警報の重要度に対応する警報音を鳴動させる（ステップＳ４２）。また、スピーカー制御部４は、鳴動している警報報知スピーカー１１，１２がある場合（ステップＳ４１のＹｅｓ）、すべての警報報知スピーカー１１，１２が鳴動しているか判定する（ステップＳ４３）。
【００３２】
スピーカー制御部４は、すべての警報報知スピーカー１１，１２が鳴動していない場合（ステップＳ４３のＮｏ）、鳴動していない警報報知スピーカー１１，１２で警報の重要度に対応する警報音を鳴動させる（ステップＳ４４）。また、スピーカー制御部４は、すべての警報報知スピーカー１１，１２が鳴動している場合（ステップＳ４３のＹｅｓ）、今回の警報よりも重要度の高い警報が鳴動しているか判定する（ステップＳ４５）。
【００３３】
スピーカー制御部４は、今回の警報の重要度と同じか低い警報が鳴動している場合（ステップＳ４５のＮｏ）、鳴動している警報音のうち、最も重要度の低い警報の警報音を停止する（ステップＳ４６）。また、ステップＳ４６で停止した警報報知スピーカー１１，１２で今回の警報の警報音を鳴動させる（ステップＳ４７）。スピーカー制御部４は、今回の警報よりも重要度の高い警報が鳴動している場合（ステップＳ４５のＹｅｓ）、重複報知スピーカー１３に、さらなる警報の発生を報知する報知音を鳴動させる（ステップＳ４８）。
【００３４】
上記警報音鳴動方法により、ビル監視装置は、重要度の異なる複数の警報が発生しても、複数の重要度の警報音を同時に鳴動させることが可能となる。また、ビル監視装置は、すべての警報報知スピーカー１１，１２が鳴動していても、重複報知スピーカー１３により新規に警報が発生したことをユーザに報知することが可能となる。
【００３５】
したがって、第１の実施形態によれば、ビル監視装置は、重要度の異なる複数の警報が発生したことをユーザに報知することができる。
【００３６】
（第２の実施形態）  
図５は、第２の実施形態に示すビル監視装置の一例を示すブロック図である。
【００３７】
図５に示すビル監視装置は、図２に示すビル監視装置の構成における警報報知スピーカー１１，１２の代わりに、Ｎ個のチャンネル（ｃｈ）を持つ多チャンネル警報報知スピーカー５１〜５Ｎ（Ｎ：自然数）を有する。図５に示す多チャンネルの警報報知スピーカー５１〜５Ｎの構成により、ビル監視装置は、設置チャンネル数分の警報音を同時に鳴動させることが可能となる。ここで、スピーカー制御部４は、発生中の警報について、最も高い重要度の警報音を１ｃｈ目の警報報知スピーカー５１へ、その次に高い重要度の警報音を２ｃｈ目の警報報知スピーカー５２へ、その次に高い重要度の警報音を３ｃｈ目の警報報知スピーカー５３へというように、重要度毎に１つの警報報知スピーカーへ鳴動させるようにしてもよい。
【００３８】
また、スピーカー制御部４は、既に警報報知スピーカー５１〜５Ｎが鳴動し、さらに鳴動している警報の重要度と同じか低い重要度の警報が発生した場合、報知音を記憶部３から読み出し、読み出した報知音を重複報知スピーカー１３から鳴動させる。
【００３９】
また、上記ビル監視装置では、警報報知スピーカー５１〜５Ｎのいずれかで警報音を鳴動しているが、警報の重要度ごとに、対応する警報報知スピーカー５１〜５Ｎを鳴動させてもよい。
【００４０】
図６は、警報の重要度ごとに、対応する警報報知スピーカー５１〜５Ｎを鳴動させる処理手順の一例を示すフローチャートである。図６に示すように、スピーカー制御部４は、警報音鳴動処理を行う（ステップＳ６１）。
【００４１】
図７は、図６に示す警報音鳴動処理手順の一例を示すフローチャートである。図７に示すように、スピーカー制御部４は、今回の重要度と同じ警報音が所定の警報報知スピーカー５１〜５Ｎで鳴動しているかを判定する（ステップＳ７１）。今回の重要度と同じ警報音が所定の警報報知スピーカー５１〜５Ｎで鳴動していない場合（ステップＳ７１のＮｏ）、スピーカー制御部４は、今回の警報の重要度に対応する警報音スピーカー５１〜５Ｎを鳴動させる（ステップＳ７２）。今回の重要度と同じ警報音が所定の警報報知スピーカー５１〜５Ｎで鳴動している場合（ステップＳ７３のＹｅｓ）、スピーカー制御部４は、報知音を記憶部３から読み出し、読み出した報知音を重複報知スピーカー１３から鳴動させる。（ステップＳ７３）。
【００４２】
上記構成によれば、ビル監視装置は、複数の警報報知スピーカー及び重複報知スピーカーを備え、スピーカー制御部により警報音の鳴動を制御する。これにより、ビル監視装置は、警報音スピーカー毎に異なる重要度の警報音を鳴動することが可能となる。また、ビル監視装置は、すべての警報報知スピーカーが鳴動していても、重複報知スピーカーにより新規に警報が発生したことをユーザに報知することが可能となる。
【００４３】
したがって、第２の実施形態によっても、ビル監視装置は、重要度の異なる複数の警報が発生したことをユーザに報知することができる。また、さらに第２の実施形態によれば、ビル監視装置は、すべてのスピーカーで警報音が鳴動中であっても新規に警報が発生したことを報知音で報知することができる。
【００４４】
また、上記多チャンネルスピーカーの構成において、同じ重要度の警報が同時に発生した場合、スピーカー制御部４は、複数の警報報知スピーカーそれぞれで同じ重要度の警報音を同時にサラウンド方式で鳴動させてもよい。これにより、ビル監視装置は、疑似的な立体音響であるサラウンド音を利用して、音の響きにより新規に警報が発生したことをユーザに報知することが可能となる。
【００４５】
また、ここでは、ビル監視装置を例に説明したが、プラントや工場等の設備を監視する監視装置に適用することも可能である。
【００４６】
以上、いくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４７】
ＰＣ…パーソナルコンピュータ、ＤＰ…ディスプレイ、ＫＢ…キーボード、１１，１２，５１〜５Ｎ…警報報知スピーカー、１３…重複報知スピーカー、２…判定部、３…記憶部、４…スピーカー制御部。
【図１】
2014229099.tif 000003
【図２】
2014229099.tif 000004
【図３】
2014229099.tif 000005
【図４】
2014229099.tif 000006
【図５】
2014229099.tif 000007
【図６】
2014229099.tif 000008
【図７】
2014229099.tif 000009